【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
タッチスクリーンインターフェースを有するポータブル電子デバイスを固定するのに使用され、前記固定されたポータブル電子デバイスへの汚染物の侵入および前記固定されたポータブル電子デバイスからの汚染物の退出を防止するための滅菌可能なエンクロージャであって、
フレーム周縁を含むフレームであって、前記フレームが透明パネルを有する窓を画定し、前記ガラスパネルが前記窓に隣接して前記フレームに動作可能に取り付けられ、前記ポータブル電子デバイスの前記タッチスクリーンインターフェースに当接するように配置された、フレームと、
前記フレームに連結され、ベース周縁を含むベースであって、前記ベースおよび前記フレームは協働して前記ポータブル電子デバイスが前記ベースと前記フレームとの間で固定される前記滅菌可能なエンクロージャの閉位置を画定する、ベースと、
シール周縁を含むシールであって、前記固定されたポータブル電子デバイスへの汚染物の侵入および前記固定されたポータブル電子デバイスからの汚染物の退出を防止するために、前記シールが、前記ベースおよび前記フレームの少なくとも一方に動作可能に取り付けられ、前記滅菌可能なエンクロージャが前記閉位置にあるときに前記ベースと前記フレームとの間に係合するように配置され、前記シール周縁が前記フレーム周縁および前記ベース周縁に隣接して配置される、シールと、
前記ベースに動作可能に取り付けられ、前記ベース周縁から内側に間隔を空けて、前記ポータブル電子デバイスの前記タッチスクリーンインターフェースを前記ガラスパネルに当接させるよう付勢し、前記滅菌可能なエンクロージャが前記閉位置にあるときに前記ガラスパネルと前記固定されたポータブル電子デバイスの前記タッチスクリーンインターフェースとの間の容量結合を可能にするバイアス機構と、
を含む滅菌可能なエンクロージャ。
【請求項２】
前記ベースおよび前記フレームの他方に動作可能に取り付けられ、前記滅菌可能なエンクロージャが前記閉位置にあるときに前記シールと係合するように形成された係合要素をさらに含む、
請求項１に記載の滅菌可能なエンクロージャ。
【請求項３】
前記係合要素は、前記シール周縁に隣接して配置された係合周縁を含む、
請求項２に記載の滅菌可能なエンクロージャ。
【請求項４】
チャネルが前記ベース周縁から内側に間隔を空けて前記ベースに画定され、前記シールの少なくとも一部分を収容する、
請求項１に記載の滅菌可能なエンクロージャ。
【請求項５】
前記シールは、前記チャネルに受け入れられるように形成されたチャネル部分と、前記チャネル部分から前記シール周縁まで延びる係合部分とを含み、前記係合部分が前記閉位置で前記フレームに係合するように形成される、
請求項４に記載の滅菌可能なエンクロージャ。
【請求項６】
前記チャネル部分および前記チャネルはそれぞれ、概して台形の輪郭を有する、
請求項５に記載の滅菌可能なエンクロージャ。
【請求項７】
前記シールは、単一の一体構成要素である、
請求項１に記載の滅菌可能なエンクロージャ。
【請求項８】
前記シールが、摂氏１３０度を超える融点を有する材料を含む、
請求項１に記載の滅菌可能なエンクロージャ。
【請求項９】
前記滅菌可能なエンクロージャを前記閉位置に選択的にロックするためのロック機構をさらに備え、前記ロック機構は、前記ベースおよび前記フレームの一方に回転可能に連結された第１のロック要素と、前記ベースおよび前記フレームの他方に動作可能に取り付けられ、前記第１のロック要素と係合して前記滅菌可能なエンクロージャを前記閉位置にロックするように配置された第２のロック要素とを含む、
請求項１に記載の滅菌可能なエンクロージャ。
【請求項１０】
前記シールは、前記ポータブル電子デバイスを収容するように形成された第１のシール領域と、前記ロック機構を収容し、前記ロック機構を前記第１のシール領域から仕切るように形成された第２のシール領域とを画定している、
請求項９に記載の滅菌可能なエンクロージャ。
【請求項１１】
４つの別個のロック機構をさらに含み、
前記シールは、前記ロック機構の１つを収容するようにそれぞれ形成された４つの別個の第２のシール領域を画定する、
請求項１０に記載の滅菌可能なエンクロージャ。
【請求項１２】
前記ガラスパネルが、アルミノシリケート材料を含む、
請求項１に記載の滅菌可能なエンクロージャ。
【請求項１３】
前記滅菌可能なエンクロージャが前記閉位置にあるときに、前記フレーム周縁、前記ベース周縁および前記シール周縁は一致している、
請求項１に記載の滅菌可能なエンクロージャ。
【請求項１４】
タッチスクリーンインターフェースを有するポータブル電子デバイスを固定するのに使用され、前記固定されたポータブル電子デバイスへの汚染物の侵入および前記固定されたポータブル電子デバイスからの汚染物の退出を防止するための滅菌可能なエンクロージャであって、
窓を画定するフレームと、
前記フレームに結合され、ベース周縁を有するベースであって、前記ベースおよび前記フレームは協働して前記ポータブル電子デバイスが前記ベースと前記フレームとの間で固定される前記滅菌可能なエンクロージャの閉位置を画定する、ベースと、
前記滅菌可能なエンクロージャを前記閉位置に選択的にロックするためのロック機構と、
前記窓に隣接して前記フレームに動作可能に取り付けられ、前記滅菌可能なエンクロージャが前記閉位置にロックされたときに前記ポータブル電子デバイスの前記タッチスクリーンインターフェースに当接するように配置されたガラスパネルと、
前記固定されたポータブル電子デバイスへの汚染物の侵入および前記固定されたポータブル電子デバイスからの汚染物の退出を防止するために、前記滅菌可能なエンクロージャが前記閉位置にロックされたときに前記ベースおよび前記フレームの少なくとも一方に動作可能に取り付けられ、前記ベースと前記フレームとの間に係合するように配置されたシールと、
前記ベースに動作可能に取り付けられ、前記ベース周縁から内側に間隔を空けて、前記ポータブル電子デバイスの前記タッチスクリーンインターフェースを前記ガラスパネルに当接させるよう付勢し、前記滅菌可能なエンクロージャが前記閉位置にあるときに前記ガラスパネルと前記固定されたポータブル電子デバイスの前記タッチスクリーンインターフェースとの間の容量結合を可能にするバイアス機構と、
を含む滅菌可能なエンクロージャ。
【請求項１５】
前記ベースおよび前記フレームの他方に動作可能に取り付けられ、前記滅菌可能なエンクロージャが前記閉位置にあるときに前記シールと係合するように形成された係合要素をさらに含む、
請求項１４に記載の滅菌可能なエンクロージャ。
【請求項１６】
前記シールは、単一の一体構成要素である、
請求項１４に記載の滅菌可能なエンクロージャ。
【請求項１７】
前記ロック機構は、前記ベースおよび前記フレームの一方に回転可能に連結された第１のロック要素と、前記ベースおよび前記フレームの他方に動作可能に取り付けられ、前記第１のロック要素と係合して前記滅菌可能なエンクロージャを前記閉位置にロックするように配置された第２のロック要素とを含む、
請求項１４に記載の滅菌可能なエンクロージャ。
【請求項１８】
前記シールは、前記ポータブル電子デバイスを収容するように形成された第１のシール領域と、前記ロック機構を収容し、前記ロック機構を前記第１のシール領域から仕切るように形成された第２のシール領域とを画定している、
請求項１４に記載の滅菌可能なエンクロージャ。
【請求項１９】
４つの別個のロック機構をさらに含み、
前記シールは、前記ロック機構の１つを収容するようにそれぞれ形成された４つの別個の第２のシール領域を画定する、
請求項１８に記載の滅菌可能なエンクロージャ。